(57)【要約】【目的】光ピックアップの対物レンズに塵埃が付着したとき、その塵埃を容易に除去することのできるメディア駆動装置を提供する。【構成】コンパクトディスクなどのディスク状メディア６を載せて回転するターンテーブル８と、このターンテーブル８上に載せたメディア６の半径方向に移動しながらメディア６の記録情報を読み取る光ピックアップ１０とを具備して成るメディア駆動装置であり、筺体１には光ピックアップの対物レンズ１０Ｂを擦過するブラシ１６が内蔵される。そして、このブラシ１６と対物レンズ１０Ｂとを相対的に摺動させることにより、対物レンズ１０Ｂに付着した塵埃をブラシ１６の擦過作用で好適に除去することができる。【選択図】　図４
2004013954.tif 000002
【特許請求の範囲】
【請求項１】
筺体の内部にモータの回転軸に取り付けられるターンテーブルを設けると共に、このターンテーブルに載せられたディスク状メディアの情報記録面に沿ってその半径方向に移動する光ピックアップを備えて成るメディア駆動装置において、前記光ピックアップの対物レンズに付着した塵埃を除去する除塵手段として、前記筺体の内部所定位置に光ピックアップの対物レンズを擦過するクリーニング部材を設けたことを特徴とするメディア駆動装置。
【発明の詳細な説明】
【０００１】
【発明の属する技術分野】
本発明は、ディスク状のメディアに情報を記録したり、その記録情報を再生するのに用いられるメディア駆動装置に係わり、特に光ピックアップによる情報の読み取りを確実に行えるようにしたメディア駆動装置に関する。
【０００２】
【従来の技術】
従来、ディスク状メディアとして、コンパクトディスク（ＣＤ）、デジタルビデオディスク（ＤＶＤ）、又はカートリッジ付きのミニディスク（ＭＤ）などが知られ、それらの各メディアに対応して種々のメディア駆動装置が実用化されている。その構造は、筺体内にメディアを一枚ずつ装填して駆動するタイプや、複数枚のメディアを収納したマガジンの内部から選択された一枚のメディアを取り出して駆動するオートチェンジャ型など多種多様であるが、何れの装置もメディアを回転させるためのターンテーブルと信号検出用の光ピックアップとを具備して構成される。そして、その種のメディア駆動装置によれば、メディアをターンテーブルに載せて回転させつつ、その半径方向に移動する光ピックアップによってメディアの記録情報を読み取って再生することができる。
【０００３】
【発明が解決しようとする課題】
然し乍ら、従来のメディア駆動装置によれば、メディアを出し入れする際などに筺体内に外部から塵埃が侵入し、これが筺体内の電子機器に悪影響を及ぼすことがあった。特に、光ピックアップの対物レンズに外部から侵入した塵埃が付着し、これによってメディアに照射すべきレーザビームが遮られるなどして光ピックアップが誤動作し、フォーカスサーボやトラッキングサーボが機能しなくなる事があった。
【０００４】
この場合、装置を分解して光ピックアップの対物レンズをクリーニングすれば、初期の制御機能を回復することができるものの、装置を分解することは煩わしく時間が掛かる上、その分解により新たな故障原因を引き起こすこともある。
【０００５】
本発明は以上のような事情に鑑みて成されたものであり、その目的は光ピックアップの対物レンズに除塵が付着したときに装置を分解せずしてその除塵を容易に除去できるようにすることにある。
【０００６】
【課題を解決するための手段】
本発明は上記目的を達成するため、筺体の内部にモータの回転軸に取り付けられるターンテーブルを設けると共に、このターンテーブルに載せられたディスク状メディアの情報記録面に沿ってその半径方向に移動する光ピックアップを備えて成るメディア駆動装置において、前記光ピックアップの対物レンズに付着した塵埃を除去する除塵手段として、前記筺体の内部所定位置に光ピックアップの対物レンズを擦過するクリーニング部材を設けたことを特徴とするメディア駆動装置を提供するものである。
【０００７】
【発明の実施の形態】
以下、本発明の適用例を図面に基づいて詳細に説明する。先ず、図１は本発明の一例として係るメディア駆動装置の斜視外観図を示す。図１において、１は装置の筺体であり、この筺体１には後述するようにディスク状のメディアを駆動させるに必要な各種の機器類が内蔵される。
【０００８】
又、筺体１の前面は操作部２とされ、この操作部２にはメディアの出し入れを行うスリット状の開口部３ほか、液晶パネルなどで成る表示部４、並びに内部の制御部に所定の制御信号を入力するためのスイッチ類５が設けられる。
【０００９】
尚、スイッチ類５としては、主電源スイッチ、メディアの再生駆動を開始するためのプレイスイッチ、その駆動を停止する停止スイッチ、メディアを取り出すためのイジェクトスイッチ、選曲頭だしスイッチ、並びに音量調整用のボリュームダイヤルなどがある。
【００１０】
そして、係るメディア駆動装置によれば、コンパクトディスクやデジタルビデオディスクといった光ディスクや光磁気ディスクで成るディスク状メディアを駆動して、これにデジタル記録された情報を再生したり、又は所定の情報をデジタル的に記録したりすることができる。
【００１１】
図２は装置の内部構造を示した側面概略図である。図２において、６はメディア、７はメディアを回転させるためのモータ（ステッピングモータ）であり、モータ７の駆動軸にはメディア６の中心部を支持する円盤状のターンテーブル８が取り付けられる。９はモータ７を固定する座板であり、この座板９はモータ７ほか、ターンテーブル８に載せられたメディア６の情報記録面に臨む光ピックアップ１０などを搭載してメディア６の再生駆動を実行するための駆動部１１を構成する。
【００１２】
又、１２はターンテーブル上にメディアを案内する一対の送りローラであり、この送りローラ１２はメディア６を挟みながら回転し、メディア６をターンテーブル８上まで移送した後にはこれを図２に示すよう解放する。そして、ターンテーブル８に載せられたメディア６は、公知のようにモータ７の駆動によりターンテーブル８で支持されたまま所定方向に回転され、その記録情報が光ピックアップ１０により逐次読み取られるようになっている。
【００１３】
図３は、駆動部の平面概略図である。図３において、１３は光ピックアップを移動させるための制御モータ、１４はその制御モータより回転駆動される送りネジ、１５は送りネジと平行に設けられるガイド軸である。ここに、光ピックアップ１０は両端を送りネジ１４とガイド軸１５とで支持されるキャリッジ１０Ａに公知の如く対物レンズ１０Ｂなどを装置して構成される。
【００１４】
そして、この光ピックアップ１０によれば、対物レンズ１０Ｂを介してメディア６の情報記録面にレーザビームを集光し、フォーカスサーボやトラッキングサーボといったサーボ制御を行うべくメディア６からの反射光を検出しながら、制御モータ１３の駆動によりメディア６の情報記録面に沿ってその半径方向に移動してメディア６の記録情報を逐次読み取ることができる。
【００１５】
ところで、筺体１の内部にはメディア６を媒介するなどして塵埃が侵入し、その塵埃が光ピックアップの対物レンズ１０Ｂに付着する事がある。対物レンズ１０Ｂに塵埃が付着すると、メディア６に照射すべきレーザビームが拡散又は遮光され、正確なサーボ制御が行えずに光ピックアップ１０の動作不良を惹起する。
【００１６】
そこで、本発明に係るメディア駆動装置は、光ピックアップの対物レンズ１０Ｂに付着した塵埃を除去する除塵手段として、筺体１の内部所定位置に対物レンズ１０Ｂを擦過するクリーニング部材が設けられる。
【００１７】
本例において、そのクリーニング部材は図３に示すようなブラシ１６で成り、このブラシ１６はターンテーブル８に載せられたメディア６の外周よりも外側の位置にあって光ピックアップ１０の軌道上に設けられる。そして、係るブラシ１６によれば、その直下に光ピックアップ１０が到達したとき、その対物レンズ１０Ｂを擦過し、これに付着した塵埃を払い除くことがことができる。
【００１８】
ここで、光ピックアップの対物レンズ１０Ｂに付着した除塵を除去するには、先ず制御モータ１３を駆動して図４に示すよう光ピックアップ１０をブラシ１６の直下まで移動させ、これにより対物レンズ１０Ｂをブラシ１６に接触させる。そして、その状態で対物レンズ１０Ｂとブラシ１６とを相対的に摺動せしめることにより、対物レンズ１０Ｂをブラシ１６で擦過する。これにより、対物レンズ１０Ｂに付着した塵埃はブラシ１６による擦過作用で好適に除去されることになる。尚、ブラシ１６は植毛部１６Ａとこれを固定する支持体１６とで成る。
【００１９】
特に、本例では対物レンズ１０Ｂにブラシ１６を擦過させる手段として、フォーカスサーボ用アクチュエータとトラッキングサーボ用アクチュエータとで成る光ピックアップ１０の二軸デバイスに制御回路を通じて特定の交流信号を流し、これにより対物レンズ１０Ｂをブラシ１６に接触させつつ振動させるようにしている。
【００２０】
尚、本発明は対物レンズ１０Ｂを振動させることに限らず、図５のように光ピックアップ１０をブラシ１６の直下に移動させた状態でブラシ１６を図示矢印方向に回転させるようにしてもよい。又、図６のように対物レンズ１０Ｂをブラシ１６（植毛部１６Ａ）に接触させた状態で光ピックアップを所定の区間内で図示矢印方向に往復運動させるようにしてもよい。ここで、光ピックアップ１０の往復運動は、図３に示した制御モータ１３に特定の制御信号を入力し、これを定量ずつ正逆に回転させることで達成できる。
【００２１】
一方、ブラシ１６は上記各例のようにメディア６の駆動領域から外れた位置に設けることに限らず、これをメディア６の駆動領域内に設けても良い。図７はその一例を示した概略図である。同図のように、本例に係るブラシ１６はターンテーブル８に載せられたメディア６の上面に臨む位置に設けられ、メディア６がターンテーブル８上に載せられているときには此れに接触せぬ状態で待機し、ターンテーブル８上にメディア６がないときに該ブラシ１６を図示矢印方向に回転せしめて直下の対物レンズ１０Ｂを擦過できるようにしてある。そして、本例でもメディア６を筺体１から排出した状態でブラシ１６を回転させることにより対物レンズ１０Ｂ上に付着した塵埃を好適に除去することができる。
【００２２】
以上、本発明について詳しく説明したが、本発明は上記各例のほか、クリーニング部材としてのブラシ１６に代えて布帛を用い、これを金属などで成る硬質な支持体の表面に接着させるなどしてもよい。尚、本発明は係るメディア駆動装置として、ＣＤプレーヤやＤＶＤプレーヤほか、記録機能を有するＤＶＤレコーダ、又はカートリッジ付きのミニディスク（ＭＤ）を駆動するＭＤプレーヤなどに適用できる。
【００２３】
【発明の効果】
以上の説明で明らかなように、本発明によれば光ピックアップの対物レンズに付着した塵埃を除去する除塵手段として、筺体の内部所定位置に光ピックアップの対物レンズを擦過するクリーニング部材を設けたことから、装置を分解せずして対物レンズに付着した塵埃をクリーニング部材による擦過作用で容易かつ確実に除去することができる。
【００２４】
又、筺体にクリーニング部材が内蔵されることから、装置の使用者は別売のクリーナを購入せずして対物レンズの清掃を適宜行うことができる。
【図面の簡単な説明】
【図１】本発明に係るメディア駆動装置を示した斜視外観図
【図２】同装置の内部を示した側面概略図
【図３】同装置の内部を示した平面概略図
【図４】対物レンズに付着した塵埃が除去される状態を示す説明図
【図５】本発明に係るクリーニング部材の他の実施態様を示す説明図
【図６】本発明に係るクリーニング部材の他の実施態様を示す説明図
【図７】本発明に係るクリーニング部材の他の実施態様を示す説明図
【符号の説明】
１　筺体
２　操作部
３　開口部
６　メディア
７　モータ
８　ターンテーブル
１０　光ピックアップ
１６　ブラシ（クリーニング部材）
１６Ａ　植毛部
【図１】
2004013954.tif 000003
【図２】
2004013954.tif 000004
【図３】
2004013954.tif 000005
【図４】
2004013954.tif 000006
【図５】
2004013954.tif 000007
【図６】
2004013954.tif 000008
【図７】
2004013954.tif 000009